(57)【要約】【課題】  例えば、タービン式コ・ジェネレーション装置のような高圧ガス消費源に対して、従来より低い自己消費電力で所望する圧力の燃料ガスを供給することができる燃料ガス供給装置の提供。【解決手段】  タンクローリーＴＬにより搬送された液化燃料ガスを貯蔵するタンク１と、液化燃料ガスを燃料ガスに気化する蒸発器３を備え、タンク１からの液化燃料ガスを蒸発器３により気化した後の燃料ガスを高圧ガス消費源４を含むガス消費源５，６，１５，１７に供給するように構成されている燃料ガス供給装置であって、タンク１からの液化燃料ガスを加圧して蒸発器３に供給する液圧ポンプ２を備えている。また、高圧ガス消費源４の排熱を熱交換器１２で回収した温水、蒸気等を蒸発器３に供給する。【選択図】      図１
2005351299.tif 000002
【特許請求の範囲】
【請求項１】
タンクローリーにより搬送された液化燃料ガスを貯蔵するタンクと、液化燃料ガスを燃料ガスに気化する蒸発器を備え、前記タンクからの液化燃料ガスを前記蒸発器により気化した後の燃料ガスを高圧ガス消費源を含むガス消費源に供給するように構成されている燃料ガス供給設備であって、
前記タンクからの液化燃料ガスを加圧して前記蒸発器に供給する液圧ポンプを備えている燃料ガス供給設備。
【請求項２】
前記ガス消費源が中圧または低圧ガス消費源を含んでいて、その中圧または低圧ガス消費源に対して前記蒸発器により気化した後の燃料ガスを減圧して供給する請求項１に記載の燃料ガス供給設備。
【請求項３】
前記高圧ガス消費源が、タービン式コ・ジェネレーション装置である請求項１または２に記載の燃料ガス供給設備。
【請求項４】
前記高圧ガス消費源に複数の圧力区分で減圧させ貯蔵させる減圧弁とバッファータンクを備え、異なる圧力のガス消費源に対して燃料ガスを供給する請求項１〜３のいずれか１項に記載の燃料ガス供給設備。
【請求項５】
前記ガス消費源が熱交換器を含んでいて、液化燃料ガスを燃料ガスに気化する蒸発器と温水、蒸気等を用いて互いに熱交換する請求項１〜４のいずれか１項に記載の燃料ガス供給設備。
【発明の詳細な説明】
【技術分野】
【０００１】
本発明は、タンクローリーにより搬送された液化燃料ガスを貯蔵するタンクと、液化燃料ガスを燃料ガスに気化する蒸発器を備え、前記タンクからの液化燃料ガスを前記蒸発器により気化した後の燃料ガスを高圧ガス消費源を含むガス消費源に供給するように構成されている燃料ガス供給設備に関する。
【背景技術】
【０００２】
例えば、液化燃料ガスの一例である液化天然ガス（以下、ＬＮＧと称する）は、タンカーにより海上を輸送されて受入基地に搬入され、その後、タンクローリーにより地方へ搬送され、そこで燃料ガスの一例である天然ガスに気化されて工場や一般家庭などのガス消費源に供給される。
その地方における燃料ガス供給設備は、従来、図３に示すような構成のものが多用されていた（適当な特許文献が見当たらないので、図示して説明する）。
なお、この図３の従来設備の説明において、後述する本発明の燃料ガス供給設備において使用される構成部品や同じ作用を有する構成部品については、同じ符号を付すことによってその説明の一部を省略する。
【０００３】
従来の燃料ガス供給設備は、タンクローリーＴＬにより搬送されてきたＬＮＧを貯蔵するＬＮＧタンク１と、そのＬＮＧを天然ガスに気化する蒸発器３などを備えていて、例えば、０．４〜０．６ＭＰａの圧力下でＬＮＧタンク１内に貯蔵されているＬＮＧを蒸発器３によって０．４〜０．６ＭＰａの天然ガスに気化するよう構成されている。
その気化された後の天然ガスは、いったん補助タンク１３に貯蔵され、その後、必要に応じて適宜減圧され、中圧または低圧ガス消費源の一例であるボイラー１５、あるいは、一般家庭用のガス器具１７などに供給される。
ところが、高圧ガス消費源の一例であるタービン式コ・ジェネレーション装置４においては、例えば、１．５〜２．０ＭＰａの天然ガスを必要とするため、従来、気化後の天然ガスを加圧して昇圧するためのコンプレッサ１４を補助タンク１３の下流側に接続し、そのコンプレッサ１４により１．５〜２．０ＭＰａにまで昇圧してタービン式コ・ジェネレーション装置４の燃焼器８へ供給していた。
また、蒸発器３が液化燃料ガスを気化する際に必要とする熱を、例えば、ボイラー１５のような中圧または低圧ガス消費源からの熱源により供給していた。
【発明の開示】
【発明が解決しようとする課題】
【０００４】
このような従来の燃料ガス供給設備において、例えば、タービン式コ・ジェネレーション装置４により２０００ｋＷの電力を発電しようとすると、コンプレッサ１４の消費電力は１００ｋＷ程度となり、およそ５％の電力を自己消費することになる。
【０００５】
本発明は、このような現状に着目したもので、その目的は、例えば、タービン式コ・ジェネレーション装置４のような高圧ガス消費源に対して、従来よりも低い自己消費電力で所望する圧力の燃料ガスを供給することのできる燃料ガス供給設備を提供することである。
【０００６】
また、従来の燃料ガス供給設備において、蒸発器３が液化燃料ガスを気化する際に必要とする熱を、例えば、ボイラー１５のような中圧または低圧ガス消費源からの温水、蒸気等により供給するものとすると、およそ３％の燃料を自己消費することになる。
【０００７】
本発明は、このような現状に着目したもので、その目的は、例えば、蒸発器３に対して、従来よりも低い自己消費燃料で所望する熱を供給することにより、所望する圧力の燃料ガスを供給することのできる燃料ガス供給設備を提供することである。
【課題を解決するための手段】
【０００８】
本発明の第１の特徴構成は、タンクローリーにより搬送された液化燃料ガスを貯蔵するタンクと、液化燃料ガスを燃料ガスに気化する蒸発器を備え、前記タンクからの液化燃料ガスを前記蒸発器により気化した後の燃料ガスを高圧ガス消費源を含むガス消費源に供給するように構成されている燃料ガス供給設備であって、前記タンクからの液化燃料ガスを加圧して前記蒸発器に供給する液圧ポンプを備えているところにある。
【０００９】
本発明の第１の特徴構成によれば、液化燃料ガスを貯蔵するタンクからの液化燃料ガスを加圧して蒸発器に供給する液圧ポンプを備えているので、言い換えると、タンクからの液化燃料ガスを液体の状態で液圧ポンプにより加圧して昇圧するので、従来のように気体の状態で加圧して昇圧するよりも効率良く昇圧することができ、その後、蒸発器により気化して所望する圧力の燃料ガスを得るので、従来よりも低い自己消費電力で所望する圧力の燃料ガスを高圧ガス消費源へ供給することができる。
【００１０】
本発明の第２の特徴構成は、前記ガス消費源が中圧または低圧ガス消費源を含んでいて、その中圧または低圧ガス消費源に対して前記蒸発器により気化した後の燃料ガスを減圧して供給するところにある。
【００１１】
本発明の第２の特徴構成によれば、ガス消費源が、上述した高圧ガス消費源のみではなく、中圧または低圧ガス消費源を含んでいるので、例えば、ボイラーをはじめとして、一般家庭などへも中圧または低圧の燃料ガスを供給することができる。
そして、それら中圧または低圧ガス消費源への燃料ガスの供給に際しては、蒸発器により気化した後の高圧の燃料ガスを減圧するだけで済むため、殊更大掛かりな装置などを設ける必要もなく、所望する中圧または低圧の燃料ガスをガス消費源へ確実に供給することができる。
【００１２】
本発明の第３の特徴構成は、前記高圧ガス消費源が、タービン式コ・ジェネレーション装置である。
【００１３】
本発明の第３の特徴構成によれば、高圧ガス消費源が、タービン式コ・ジェネレーション装置であるから、従来と同様に、燃料ガスを使用して発電が可能となり、しかも、その発電に要する自己消費電力は、例えば、２０００ｋＷの電力を発電する場合、液圧ポンプの消費電力は７．５ｋＷ程度となり、およそ０．３７５％程度で済み、自己消費電力を大幅に改善することができる。
【００１４】
本発明の第４の特徴構成は、前記高圧ガス消費源に複数の圧力区分で減圧させ貯蔵させる減圧弁とバッファータンクを備え、異なる圧力のガス消費源に対して燃料ガスを供給するところにある。
【００１５】
本発明の第４の特徴構成によれば、高圧ガス消費源に燃料ガスを供給する圧力を減圧させ貯蔵させる減圧弁とバッファータンクを所望する圧力毎に設けることにより、例えば、第1の圧力区分を天然ガス自動車や非常用のカードルをはじめとする消費源とすると、それを減圧弁とバッファータンクにより供給する第２の圧力区分をタービン式コ・ジェネレーション装置とすることができ、更に次なる減圧弁により供給する第３の圧力区分を中圧または低圧消費源とすることができる。
【００１６】
本発明の第５の特徴構成は、前記高圧ガス消費源が熱交換器を含んでいて、液化燃料ガスを燃料ガスに気化する蒸発器と温水、蒸気等を用いて互いに熱交換するところにある。
【００１７】
本発明の第５の特徴構成によれば、前記圧力区分中のガス消費源で熱交換器を含んでいるもので、例えば、タービン式コ・ジェネレーション装置から温水、蒸気等を取り出し、液化燃料ガスを燃料ガスに気化する蒸発器と熱交換させることができ、自己消費燃料を大幅に改善することができる。
【発明を実施するための最良の形態】
【００１８】
本発明による燃料ガス供給設備の実施の形態を図面に基づいて説明するが、先に説明した従来設備において使用されている構成部品や同じ作用を有する構成部品については同じ符号を付して説明する。
本発明による燃料ガス供給設備は、液化燃料ガスの一例である液化天然ガス（以下、ＬＮＧと称する）を気化して燃料ガスの一例である天然ガスとし、その天然ガスをガス消費源に供給するためのもので、図１に示すように、タンクローリーＴＬにより搬送されてきたＬＮＧを貯蔵するＬＮＧタンク１を備えている。
【００１９】
そのＬＮＧタンク１には、第１バルブＶ１を備えた第１搬送ラインＬ１を介して、ＬＮＧタンク１からのＬＮＧを液体のままで加圧して昇圧する液圧ポンプ２が接続され、その液圧ポンプ２には、逆止弁形式の第２バルブＶ２を有する第２搬送ラインＬ２を介して蒸発器３が接続されている。
その蒸発器３には、減圧弁Ｖ５とバッファータンク１６を有する第３搬送ラインＬ３を介して高圧ガス消費源の一例であるタービン式コ・ジェネレーション装置４が接続され、かつ、第４搬送ラインＬ４を介して高圧ガス消費源の一例である天然ガス自動車５用や非常用カードル６用の蓄ガス器７が接続されるとともに、その蓄ガス器７とタービン式コ・ジェネレーション装置４が、蒸発器３に対して互いに並列に接続されている。
【００２０】
タービン式コ・ジェネレーション装置４は、第３搬送ラインＬ３からの天然ガスを燃焼する燃焼器８、燃焼後の排ガスにより回転駆動するタービン９、タービン９に連動連結された空気圧縮機１０と発電機１１などを備え、空気圧縮機１０により圧縮された後の空気が、熱交換器１２において排ガスにより加熱された後、燃焼用空気として燃焼器８に供給される。
蓄ガス器７は、第４搬送ラインＬ４からの天然ガスを、必要に応じて、天然ガス自動車５や非常用カードル６に供給するためのもので、その前後には第３バルブＶ３と第４バルブＶ４が設けられている。
【００２１】
バッファータンク１６には、減圧弁Ｖ６を有する第５搬送ラインＬ５を介して中圧または低圧ガス消費源の一例であるボイラー１５や一般家庭用のガス器具１７などが接続され、そのボイラー１５などに対して、第３搬送ラインＬ３からの天然ガスが減圧弁Ｖ５およびＶ６により所定の圧力にまで減圧されて供給される。
蒸発器３は、ＬＮＧを天然ガスに気化するに要する温水、蒸気等の供給を受けるため、第６搬送ラインＬ６を介してタービン式コ・ジェネレーション装置４の熱交換器１２に、かつ、第７搬送ラインＬ７を介してボイラー１５に接続されている。
【００２２】
つぎに、この燃料ガス供給設備の動作について説明する。
まず、タンクローリーＴＬにより搬送されてきたＬＮＧは、０．４〜０．６ＭＰａの圧力下でＬＮＧタンク１内に貯蔵され、第１搬送ラインＬ１を介して同程度の圧力で液圧ポンプ２に供給され、液圧ポンプ２は、そのＬＮＧを液体のまま加圧し、１．５〜２５ＭＰａ程度の必要とする圧力まで昇圧して蒸発器３に供給する。
【００２３】
蒸発器３はそのＬＮＧを天然ガスに気化し、気化された後の天然ガスは、タービン式コ・ジェネレーション装置４の燃焼器８には１．５〜２．０ＭＰａ程度の圧力で供給され、必要に応じて、蓄ガス器７に貯蔵する際には２０〜２５ＭＰａ程度にまで昇圧されて供給される。
燃焼器８には、天然ガスと共に空気圧縮機１０により圧縮された燃焼用空気も供給され、その燃焼後の排ガスがタービン９を回転駆動し、タービン９の回転駆動に伴って、空気圧縮機１０と発電機１１も回転駆動され、発電機１１の回転駆動によって発電される。
【００２４】
例えば、発電機１１により２０００ｋＷの電力を発電する場合、その発電に要する液圧ポンプ２の消費電力は７．５ｋＷ程度であり、およそ０．３７５％の自己電力消費量で済むことになる。
そして、天然ガス自動車５や非常用カードル６には、必要に応じて、２０ＭＰａ程度の高圧の天然ガスが供給される。
【００２５】
本発明による燃料ガス供給設備のその他の実施の形態を図２にて説明する。
この図２に示す他の実施の形態において、図１に示した構成部品や同じ作用を有する構成部品については、同じ符号を付すことにより詳しい説明を省略し、図２に示す他の実施の形態では、主としてその動作について説明する。
【００２６】
蒸発器３を出た気化後の天然ガスは、蓄ガス器７において、高圧ガス消費源である天然ガス自動車５や非常用カードル６に必要な２０〜２５ＭＰａ程度の高圧で蓄えられる。
蓄ガス器７は、高圧ガス消費源である天然ガス自動車５や非常用カードル６に天然ガスを供給するだけではなく、異なる圧力に減圧弁Ｖ５で減圧し、高圧ガス消費源としてのタービン式コ・ジェネレーション装置４に必要な１．５〜２．０ＭＰａ程度の圧力に減圧し、バッファータンク１６に蓄える。
バッファータンク１６は、高圧ガス消費源であるタービン式コ・ジェネレーション装置４に天然ガスを供給するだけではなく、異なる圧力に減圧弁Ｖ６で減圧し、中圧または低圧ガス消費源の一例であるボイラー１５や一般家庭用のガス器具１７なども必要な圧力に減圧して供給する。
また、燃料ガスの消費源に熱交換器１２を含んでいるような場合、蒸発器３と温水や蒸気等の搬送ラインＬ６を接続し、蒸発器３の熱交換に利用する。
【００２７】
〔別実施形態〕
先の実施形態では、高圧ガス消費源の一例としてタービン式コ・ジェネレーション装置４を示したが、特にタービン式コ・ジェネレーション装置に限らず、高圧の燃料ガスを必要とする各種の工業用の装置などにも適用することができる。
また、液化燃料ガスの一例として液化天然ガスを示したが、液化天然ガス以外の各種の液化ガスにおいても適用可能である。
【図面の簡単な説明】
【００２８】
【図１】本発明による燃料ガス供給設備の概略構成図
【図２】本発明による燃料供給設備のその他の概略構成図
【図３】従来の燃料供給設備の概略構成図
【符号の説明】
【００２９】
１      タンク
２      液圧ポンプ
３      蒸発器
４      高圧ガス消費源としてのタービン式コ・ジェネレーション装置
５      高圧ガス消費源としての天然ガス自動車
６      高圧ガス消費源としての非常用カードル
７      蓄ガス器
８      燃焼器
９      燃焼の排ガスにより駆動するタービン
１０    空気圧縮機
１１    発電機
１２    熱交換器
１３    補助タンク
１４    コンプレッサ
１５    中圧または低圧ガス消費源としてのボイラー
１６    バッファータンク
１７    中圧または低圧ガス消費源としてのガス器具
ＴＬ    タンクローリー
【図１】
2005351299.tif 000003
【図２】
2005351299.tif 000004
【図３】
2005351299.tif 000005